(57)【特許請求の範囲】
【請求項１】
飲料用容器となるペットボトル本体の外側面に筒状のラベルを装着し、さらに該ラベルに複数の短冊状体に刻むミシン目の短冊状ラインを設け、且つ筒状の前記ラベルの筒縦方向に帯状切取部用のミシン目の切取ラインを設け、ほぼ細長四角形した前記短冊状体の各長辺用ミシン目ラインを水平方向に配設し前記短冊状体の各短辺用ミシン目ラインを垂直方向に配設して、これら各短辺用ミシン目ラインを前記切取ラインに一致させると共に、複数の該短冊状体は数珠繋ぎになるよう各短冊状体の隣接コーナ部、さらに数珠繋ぎの両端になる短冊状体の両端部が前記ミシン目を欠落して、該ミシン目同士を連通させてミシン目の短冊状ラインを開放することにより、両端部が前記ペットボトル本体に装着されたラベルの筒状残存部につながった状態で複数の短冊状体が数珠繋ぎに展開し、手提げ用又は肩掛け用になるベルトが形成されてなることを特徴とするペットボトル。
【請求項２】
前記帯状切取部が前記ラベルの２カ所設けられ、その一方が該ラベルの上縁から垂直下方向に設けられ、他方が最上段の短冊状体の下側に位置する長辺用ミシン目ラインから垂直下方向に設けられる請求項１記載のペットボトル。
【発明の詳細な説明】
【技術分野】
【０００１】
本発明はお茶や清涼飲料水等の飲み物が詰められるペットボトルに関する。
【背景技術】
【０００２】
例えば５００ml用のペットボトルは飲料用容器となる容器本体１０にお茶や清涼飲料水等の飲み物が詰められ、キャップ５で蓋をして手軽るに持ち運びできる水分補給具として広く普及している(図７)。缶入りプルトップタイプのものと違って、全部飲み干さなくてもキャップ５で蓋をすれば、残ったお茶等が時間をおいてまた水分補給用に役立ち重宝である。行楽地でも残ったお茶等が入ったペットボトルを手に持って歩く姿が見られる。
しかし、ペットボトルの胴を手で握って歩いていると、その手が塞がってしまって自由度が失われる。転んだりした時も危ない。こうしたことから、斯かる不具合を改善する技術が提案されている（例えば特許文献１,２）。
【０００３】
【特許文献１】実用新案登録第３０８０７５３号公報(４頁〜７頁)
【特許文献２】実用新案登録第３０３６０１１号公報(３頁〜６頁)
【発明の開示】
【発明が解決しようとする課題】
【０００４】
しかるに、特許文献１の技術は、付け替えキャップ本体に肩掛用又は手提げ用ベルトを取付けたペットボトル用付け替えキャップであった。ペットボトルに付いている元のキャップを外して、その代わりにペットボトルに取付けるものであり、常時これを持参しなければならない不便さがあった。行楽地などでペットボトルが空になっても、そのペットボトル用付け替えキャップを持ち帰らなければならない煩わしさがあった。
特許文献２はその請求の範囲にあるように、「容器の筒状口部へ嵌合しうる環状部材の内周面に、斜め上方に向く多数の内向舌片を設けると共に、前記環状部材の外周面に水平方向へ延びる取手を設けてなり、且つ前記環状部材と前記舌片と前記取手とを、弾性材料によって一体成形してなる筒状口部付き容器の手提げ具」であり、このような手提げ具をペットボトルに新たに取付けるとなると、その分コストアップを招く問題があった。
また、ペットボトルは横にしたときに転がり易い。車などの車室内座席シート上にペットボトルを置くことがあるが、車両走行中、ブレーキを踏んだときに座席下に転げ落ちる問題もあった。
【０００５】
本発明は上記問題点を解決するもので、既存のペットボトルに対し殆どコストを掛けることなく持ち運び易くし、また車両走行中の車室内でも転げ落ちないようにできるペットボトルを提供することを目的とする。
【課題を解決するための手段】
【０００６】
上記目的を達成すべく、請求項１に記載の発明の要旨は、飲料用容器となるペットボトル本体の外側面に筒状のラベルを装着し、さらに該ラベルに複数の短冊状体に刻むミシン目の短冊状ラインを設け、且つ筒状の前記ラベルの筒縦方向に帯状切取部用のミシン目の切取ラインを設け、ほぼ細長四角形した前記短冊状体の各長辺用ミシン目ラインを水平方向に配設し前記短冊状体の各短辺用ミシン目ラインを垂直方向に配設して、これら各短辺用ミシン目ラインを前記切取ラインに一致させると共に、複数の該短冊状体は数珠繋ぎになるよう各短冊状体の隣接コーナ部、さらに数珠繋ぎの両端になる短冊状体の両端部が前記ミシン目を欠落して、該ミシン目同士を連通させてミシン目の短冊状ラインを開放することにより、両端部が前記ペットボトル本体に装着されたラベルの筒状残存部につながった状態で複数の短冊状体が数珠繋ぎに展開し、手提げ用又は肩掛け用になるベルトが形成されてなることを特徴とするペットボトルにある。
請求項２の発明たるペットボトルは、請求項１で、帯状切取部が前記ラベルの２カ所設けられ、その一方が該ラベルの上縁から垂直下方向に設けられ、他方が最上段の短冊状体の下側に位置する長辺用ミシン目ラインから垂直下方向に設けられることを特徴とする。
【発明の効果】
【０００７】
本発明のペットボトルは、既存のペットボトルにたいした費用をかけずに、必要時にペットボトル本体に装着したラベルのミシン目同士を連通させてラベルからベルトを引き出し、このベルトを使うことで持ち運び易くし、また車両走行中の車室内でも該ベルトを係止突起等に引っ掛けることで転げ落ちないようにできるなど優れた効果を発揮する。
【発明を実施するための最良の形態】
【０００８】
以下、本発明に係るペットボトルについて詳述する。
図１〜図７は本発明のペットボトルの一形態で、図１,図２はその全体斜視図、図３は筒状のラベルにする前の展開平面図、図４はミシン目のラインを開放してベルトを形成したペットボトルの斜視図、図５は筒状のラベルにする前の展開部分平面図で、図３とは異なる別態様図である。図６は図５のラベルを用いた場合で、図４に対応するペットボトルの斜視図、図７はペットボトルの分解斜視図である。
【０００９】
本ペットボトルはペットボトル本体１とラベル２とミシン目Ｓ２の短冊状ライン３とミシン目Ｓ２の切取ライン７とキャップ５とペットボトル本体１に詰められる飲み物６とを具備する。
ペットボトル本体１はお茶や清涼飲料水等の飲み物６を貯える飲料用容器になる部分で、公知のペットボトルの主構成部である。徳利形のプラスチック製容器本体１０の上部に筒状口部１１が設けられる(図７)。ここでのペットボトル本体１の容量は500mlである。符号１２はキャップ５と整合性を良くするフランジを示す。
【００１０】
ラベル２は筒状にしてペットボトル本体１の外側面１０ａに装着される合成樹脂製フィルム又はシートに、ペットボトルの内容物や商品名,販売者等の表示、更には競業他社との差別化を図る商標,意匠が印刷されたものである。例えばシート状のポリエステル系やポリスチレン系のシュリンクラベルを使用し、そのリサイクル用切取ライン７ｂの切取部８の一部分を重ね、糊貼りシールによって図７の状態から図１の筒状のラベル２とする。符号２１はラベルを筒状にするための糊代部を示す。尚、図７では短冊状ライン３及び中抜き用切取ライン７ａの図示を省略する。
【００１１】
ミシン目Ｓ２の短冊状ライン３は、前記ラベル２の上半部にミシン目Ｓ２で複数の短冊状体４が隣接するように刻まれたほぼ細長四角形(ここでは細長の長方形)とする短冊状のラインである。短冊状ライン３は図１のごとく筒状ラベル２の上半部に設ける。ラベル２に細長四角形した短冊状体４の各長辺を水平方向に配設し短冊状体４の各短辺を垂直方向に配設するようそれらのミシン目Ｓ２を刻み込む(図３)。但し、各短冊状体４はほぼ細長四角形の短冊状としながらも、複数の該短冊状体４が数珠繋ぎになるよう各短冊状体４の隣接コーナ部、さらに数珠繋ぎの両端になる短冊状体４の両端部４５は前記ミシン目Ｓ２を欠落させた状態とする。そのため、ミシン目同士Ｓ２,Ｓ２,…を連通させてミシン目Ｓ２の短冊状ライン３を開放することによって、両端部４５が前記ペットボトル本体１に装着されたラベル２の筒状残存部２５につながった状態で複数の短冊状体４が数珠繋ぎに展開し、図４のごとくの手提げ用又は肩掛け用になるベルト９が形成される。一の短冊状体４に隣接する他の短冊状体４とのコーナ部はミシン目なし部３２になって、両短冊状体４,４をつなぐ連結部４１になる。短冊状ライン３に係る各短冊状体４の長辺ミシン目ライン３１は隣接する次の短冊状体４へと刻まれていくが、図１〜図３のごとく、その次の短冊状体４の短辺のミシン目ライン３３の手前までで終わり、これによりミシン目なし部３２を形成する。短冊状ライン３を開放したとき、該ミシン目なし部３２があることによって図４のように短冊状体４を数珠繋ぎに展開できる。
【００１２】
本実施形態では、細長四角形の短冊状体４を図１,図３に示すごとく筒状ラベル２の上縁から９段設ける。９段目(最下段)の短冊状体４の２つの端部４５にあたるミシン目Ｓ２はなく、筒状残存部２５につながる。９段目の短冊状体４の下側に位置する長辺ミシン目ライン３１の端末３５はラベル２にしたとき、ペットボトル本体１の外側面１０ａの相対向する位置に配される。端末３５(両端部４５)を相対向する位置に配することによって、手提げ用又は肩掛け用になるベルト９は、手に持ったときに図４のごとくペットボトルが水筒のようにバランス良く、両側で支持し持ち上げる格好になり扱いやすいものになる。
【００１３】
また、筒状の前記ラベル２の筒縦方向に所定幅の帯状切取部８用のミシン目Ｓ２の切取ライン７を設け、ほぼ細長四角形した前記短冊状体４の各長辺用ミシン目ライン３１を水平方向に配設する一方、短冊状体４の各短辺用ミシン目ライン３３を垂直方向に配設して、各短冊状体４の短辺が前記切取ライン７を介して帯状切取部８に当接するようにする。細長四角形した短冊状体４の各短辺用ミシン目ライン３３が垂直方向に配設されるので、その短辺を刻むミシン目Ｓ２(短冊状ライン３)を、帯状切取部用のミシン目Ｓ２(切取ライン７)に一致させることによって、切取部８を剥せば短冊状体４の各短辺がラベル本体２０から開放され、後は短冊状体４に係る各長辺のミシン目同士を連通させてその部分を開放さえすれば手提げ用又は肩掛け用になるベルト９が形成される。
【００１４】
さらに本実施形態は帯状切取部８をラベル２の２カ所に設け、その一方を該ラベル２の上縁２３から垂直下方向に設け、他方を最上段の短冊状体４ａの下側に位置する長辺のミシン目ライン３１から垂直下方向に設ける。
一方の切取部８は、図２,図３のごとく、ラベル２の上縁２３から下縁２４まで達するリサイクル用切取部８ｂである。ラベル２の中間高さより若干下方位置にストップ用水平ライン７５が設けられており、ミシン目Ｓ２の切取ライン７ｂを開放し該リサイクル用切取部８ｂをラベル２の上縁２３から下方へ剥していくと、この水平ライン７５でリサイクル用切取ライン７ｂの上半部７０の切取ライン７が開放され、上側リサイクル用切取部８ｂがラベル２から剥ぎ取られる。まず、この水平ライン７５まで上側リサイクル用切取部８ｂを切り離すことで、ベルト９を形成し易くする。ベルト９が不要になった場合やペットボトルをリサイクル回収に出す場合は、さらに該水平ライン７５より少し下の下側水平ライン７６まで切り込みを入れ、ミシン目Ｓ２のリサイクル用切取ライン７ｂを開放し、該リサイクル用切取部８ｂを下方へ剥していく。すると、ラベル下縁２４に達し、下半部７１になる下側リサイクル用切取部８ｂが切り取られ、と同時に筒状ラベル２が展開しペットボトル本体１から外れる。
他方の切取部８は中抜き用切取部８ａで、図１,図３のごとく最上段の短冊状体４ａの下側に位置する長辺用ミシン目３１から垂直下方向に設けられ、ラベル２の中間高さより若干下方位置にまで達する。中抜き用切取部８ａを挟んで両側に短冊状体４の長辺用ミシン目ライン３１が配設される。中抜き用切取部８ａが最上段の短冊状体４ａの下側に位置する長辺のミシン目ライン３１から垂直下方向にスタートするのは、最上段の短冊状体４ａが手提げ用ベルト９(又は肩掛け用ベルト９)の手で握る所になるため、その下方の短冊状体４ｂよりは長辺を長くし、握りにくい数珠繋ぎのつなぎ部分すなわち連結部４１が手で握る箇所にならないようにするためである。中抜き用切取部８ａがあることで短冊状体４の長辺が、中抜き用切取部８ａのないときに比べ長辺長さが約半分になり、短冊状体４へ展開しベルト９が形成し易くなる理由もある。
【００１５】
ところで、ラベル２に施すミシン目Ｓ２の短冊状ライン３や中抜き用切取ライン７ａ,リサイクル用切取ライン７ｂは、ペットボトル本体１の外側面１０ａにラベル２を筒状に装着する前のシート状ラベル２に予め設けておくのが好ましい。リサイクル用切取ライン７ｂは既存のペットボトルでも設けており、このリサイクル用切取ライン７ｂの形成時に一括形成すれば製造工程も従来と何ら変わることがなく、低コスト化が図かれより好ましくなる。
【００１６】
前記短冊状ライン３のミシン目Ｓ２に関しては、本実施形態のごとくその大きさを同じにしてもよいが、図５に示すように短冊状体４の隣接コーナ部のミシン目なし部３２に接する端末のミシン目Ｓ２を一回り大きなものＳ１にするとより好ましくなる。ミシン目の大きさが該ミシン目同士を連通させてミシン目の短冊状ライン３を開放する役割だけの小さな孔Ｓ２のミシン目ラインにすると、複数の短冊状体４が数珠繋ぎに展開しベルト９が形成された後(図４)、何かのはずみでベルト９が強く引っ張られることによって、数珠繋ぎのつなぎ部分が比較的容易に引き裂かれてしまう。これに対し、短冊状体４の隣接コーナ部のミシン目なし部３２に接する最後のミシン目Ｓ２が一回り大きなミシン目Ｓ１になると、すなわちＳ１>Ｓ２となると、複数の短冊状体４が数珠繋ぎに展開しベルト９が形成された際、数珠繋ぎのつなぎ部分には図６のごとくＣ字状の切欠きＣ１が形成されるので、何かのはずみでベルト９が強く引っ張られても、ベルト９を強く引っ張る外力をミシン目ラインに切られた端の1点に集中させずに、外力を切欠きＣ１のＣ環で分散させてベルト９の形状を保形できる。
また、最上段の短冊状体４は、手で握りやすいようにその短辺の長さＬ１を他の一般のものＬ２よりも長くすると、すなわちＬ１>Ｌ２とするとより好ましい(図５)。
【００１７】
キャップ５はペットボトル本体１の筒状口部１１に螺合し、ペットボトル本体１内の飲み物６をこぼさないようにする被せ蓋である。飲み物６はペットボトル本体１内に注入,充填されるお茶や清涼飲料水等の液体である。
ペットボトルに飲み物６を注入,充填した後、キャップ５で蓋をすると共に、前記短冊状ライン３,前記切取ライン７が刻み込まれたラベル２を前記ペットボトル本体１の外側面１０ａに筒状に装着して本発明のペットボトルの製品(商品)が完成する。
【００１８】
このように構成したペットボトルは、これまでのペットボトル本体１の外側面１０ａに装着された筒状のラベル２にミシン目Ｓ２の短冊状ライン３を刻むだけで、必要時にベルト９をラベル２から取り出すことができる。該ミシン目同士を連通させてミシン目の短冊状ライン３を開放することにより、両端部４５がペットボトル本体１に装着されたラベル２の筒状残存部２５につながった状態で複数の短冊状体４が数珠繋ぎに展開し、手提げ用又は肩掛け用になるベルト９が形成されるので、ペットボトルを図４のように該ベルト９を手でもって歩くことができる。ペットボトルの胴体を握って歩くのに比べ、手に自由度がある。持ち歩き易く、水筒と同じような扱いができる。５００ml用の本ペットボトルがミニ水筒のようになり、子供等は肩に掛けることもできる。しかも、金属製の重い水筒と異なり、ペットボトル本体１はプラスチック製であり軽いので、持ち運びが楽で極めて重宝する。
それでいて、販売時の本ペットボトルの商品の姿は従前のペットボトルと殆ど変わりなく、ベルト９はラベル２の中に隠れている。ペットボトル商品の保管や運搬に支障をきたさない。ベルト９が必要になった時点で、ミシン目Ｓ２の短冊状ライン３を開放することにより、簡単に複数の短冊状体４が数珠繋ぎに展開してベルト９が形成される。ラベル２の筒縦方向にミシン目Ｓ２の切取ライン７が設けられ、短冊状体４の各長辺のミシン目ライン３１を水平方向に配設し短冊状体４の各短辺のミシン目ライン３３を垂直方向に配設して、短冊状体４の各短辺が切取ライン７を介して帯状切取部８に当接すると、ラベル２の少ないスペースを生かして必要長さの所望のベルト９を容易く形成できる(図３)。各短辺用ミシン目ライン３３を前記切取ライン７に一致させることによってベルト９を容易く形成できる。帯状切取部８がラベル２の２カ所設けられ、その一方が該ラベル２の上縁２３から垂直下方向に設けられ、他方が最上段の短冊状体４の下側に位置する長辺用ミシン目ライン３１から垂直下方向に設けられると、ベルト９がより一層容易く形成できる。
そして、ペットボトル内の飲み物６を半分ほど飲み干した後でも(図４)、手に持ったときペットボトル本体１の下方に飲み物６が溜まるので、肩等にかけたときに水筒と同じように安定する。
また、自動車走行中でも、車室内の把手やレバー等にベルト９を引っかけておけば、急ブレーキをかけた時でも本ペットボトルは座席下に転がり落ちない。
【００１９】
しかも、本発明のペットボトルは既存のペットボトルにベルト９を付加しているにもかかわらず、既存のペットボトルにおけるリサイクル用切取ライン７ｂのミシン目を形成する際に、同時に短冊状ライン３や中抜き用切取ライン７ａのミシン目Ｓ２を入れることによってベルト形成用の追加コストを抑えることができる。さらに、ベルト９を形成すれば、ラベル２の約半分ほどが剥がれており、残りの下半部７１の切取部８を切り取ればリサイクル回収箱等に投入でき便利である。
加えて、特許文献１のようなペットボトル用付け替えキャップ５を、準備したりまたそのような部品を持ち帰ったりする必要もない。手ぶらで行楽地等に出かけて、そこで従来と同じようなスタイルで本ペットボトルを購入し、簡易のベルト付きペットボトルにできる。ベルト９のついた水筒と同じような機能を発揮し、しかもペットボトル本体１が軽いので水筒よりも持ち運びが楽になる。本発明は既存のペットボトルのラベル２にミシン目Ｓ２(さらにミシン目Ｓ１)を加工し、必要時に、そのミシン目を連通させることによってラベル２の一部を簡易水筒になるようベルト形成できるものであり、極めて優れた発明になっている。
【００２０】
尚、本発明においては前記実施形態に示すものに限られず、目的,用途に応じて本発明の範囲で種々変更できる。ペットボトル本体１,ラベル２,ミシン目の短冊状ライン３,短冊状体４,ミシン目の切取ライン７,切取部８,ベルト９等の形状,大きさ,材質等は用途に合わせて適宜選択できる。例えばペットボトルの容量は５００ml以外の容量のものでも適用できる。
【図面の簡単な説明】
【００２１】
【図１】本発明のペットボトルの一形態で、その全体斜視図である。
【図２】図１と異なる角度からみた本ペットボトルの斜視図である。
【図３】筒状のラベルにする前の展開平面図である。
【図４】ミシン目のラインを開放してベルトを形成したペットボトルの斜視図である。
【図５】筒状のラベルにする前の展開部分平面図で、図３とは異なる別態様図である。
【図６】図５のラベルを用いた場合で、図４に対応するペットボトルの斜視図である。
【図７】ペットボトルの分解斜視図である。
【符号の説明】
【００２２】
１            ペットボトル本体
１０ａ        外側面
２            ラベル
２５          筒状残存部
３            短冊状ライン
３１          長辺用ミシン目
３３          短辺用ミシン目
４            短冊状体
４ａ          最上段の短冊状体
４５          端部
７            切取ライン
８            切取部
９            ベルト
Ｓ１，Ｓ２      ミシン目
【図１】
0004408427.tif 000002
【図２】
0004408427.tif 000003
【図３】
0004408427.tif 000004
【図４】
0004408427.tif 000005
【図５】
0004408427.tif 000006
【図６】
0004408427.tif 000007
【図７】
0004408427.tif 000008